(57)【要約】【課題】印刷やボールペンなどで記録ができる表示部を持つプラスチック製の封緘具を提供する。【解決手段】印刷性に優れたシート状物からなる表示部２と、前記表示部２の縁部に対して溶融連結部５ａを介して接続されたプラスチック製の紐状の結束部３で構成され、前記結束部は前記溶融連結部５ａの近傍に係合メス部５を配置し、この係合メス部５より延長された部分に前記係合メス部５に噛合する係合部７を配置した結束型封緘具。【選択図】          図２
2004231260.tif 000002
【特許請求の範囲】
【請求項１】
印刷性に優れたシート状物からなる表示部２と、前記表示部２の縁部に対して溶融連結部５ａを介して接続されたプラスチック製の紐状の結束部３で構成され、前記結束部は前記溶融連結部５ａの近傍に係合メス部５を配置し、この係合メス部５より延長された部分に前記係合メス部５に噛合する係合部７を配置したことを特徴とする結束型封緘具。
【請求項２】
印刷性に優れたシート状物からなる表示部２と、プラスチック製の紐状の結束部３で構成され、前記結束部３は、溶融連結部５ａと係合メス部５と係合部７と挿入部８とからなり、前記表示部２と溶融連結部５ａとの間は、成形金型内に表示部２が配置された状態で、溶融プラスチックを金型内に注入するインサート形成により一体的に結合されており、前記係合メス部５は、筒状部５ｂと、この筒状部５ｂの底部に形成された爪部５ｃを有し、前記係合部７は拡大部７ｂと縮小部７ａを交互に配置して数珠状に形成されており、前記挿入部８を通じて係合部７を係合メス部５に挿通させると、前記爪部５ｃと前記係合部７とが引抜き不能に係合されるように構成されていることを特徴とする結束型封緘具。
【請求項３】
前記表示部２は印刷性のある布状物であることを特徴とする請求項２記載の結束型封緘具。
【請求項４】
前記表示部２は、少なくとも布状物のテープ体２Ａと溶融連結部５ａとが連結される部分は、溶融プラスチックと強く固着できるように形成されていることを特徴とする請求項１記載の結束型封緘具。
【請求項５】
前記布状体のテープ体２Ａは、切断面がほずれない状態で切断する手段によって切断されていることを特徴とする請求項４に記載の結束型部封緘具。
【請求項６】
金型内に、印刷性のある表示部を形成するテープ体２Ａを配置する工程と、このテープ体２Ａに交差し、係合メス部５と係合部７と挿入部８とからなる紐状の結束部３を複数本平行して成形する工程と、前記結束部３を成形後、前記テープ体２Ａを所定の幅に切断する工程とからなり、前記テープ体２Ａと溶融結束部５ａとは、前記テープ体２Ａが金型内に配置された状態で前記結束部３のキャビティに溶融プラスチックを供給され、前記テープ体２Ａの縁部の両面を挟持するようにインサート形成により一体的に結合されており、前記テープ状体２Ａと溶融結束部５ａとが一体成形された後に、前記テープ状体２Ａを所定の幅に切断して表示部２に個々に分離されることを特徴とする結束型封緘具の製造方法。
【発明の詳細な説明】
【０００１】
【発明の技術分野】
本発明は、例えば、貴金属などを収容する箱体と蓋、郵袋などの貴重品を収容する袋、あるいは各種の計器類の本体と蓋などのように蓋や口部を閉止した後に、これの開封の有無を確認できる、記録性に優れた封緘具に関する。
【０００２】
【従来の技術】
例えば、電力計などの計器類のように、金属製の本体などの堅いものの蓋を閉止した後に取付ける封緘として銅線などの錆び難い金属腺と、鉛のような金属の止め具を使用した封緘具が使用されていた。しかし、これはコスト高になる上に封緘操作に特別な工具を必要とし、取扱いが煩雑であるなどの問題があった。
【０００３】
また、郵袋のような布製の袋の口を紐で縛って封緘するものとして、布製のテープに雄と雌の金属製止め具（ハトメなど）を固定し、テープを袋の口部に回した後に前記止め具を嵌合固定するものも使用されている。しかし、この封緘具の製造には布製テープと金属製止め具を準備し、更に、これを組立てる工程が必要であることから、コスト高になる上に、特別な工具を使用して封緘しなければならず、また、耐久性にも問題があった。
【０００４】
これを改善するためにナイロンやポリプロピレン等のプラスチック材料を使用して一体成形した封緘具が多く使用されるようになってきた（例えば、特許文献１参照）。
【０００５】
また、紐状の縛る部分と平板状の表示部とを一体成形したプラスチック製の封緘具も提案されている（例えば、特許文献２参照）。
【０００６】
【特許文献１】
特許第２８４７１００号
【特許文献２】
実用新案登録第２０６２８９０号（実公平６−３０７０２号公報）
【０００７】
【発明が解決すべき課題】
前記特許文献１に記載された発明に係るプラスチック製の封緘具は、細い線材からなる連結部材の両側に狭幅のヘラ状の薄板部をそれぞれ成形し、この薄板部の一方に凹部材（止め部）を、他方に凸部材をそれぞれ成形したものである。
【０００８】
この封緘具は、狭い面積の薄板部を表示部としているので、この部分に記入できるものは、整理番号や品番等のような簡単な記号程度のものであり、更に、この封緘具の使用する際はその都度、刻印するか、あるいは特別な印刷機を準備して印刷しなければならないという問題がある。
【０００９】
また、プラスチックの整形品に凸部材と凹部材とを係合する場所が限定されている関係で、縛るために形成できる輪の大きさを調整することができない。従って、その用途も限定されざるを得ないものである。
【００１０】
また、特許文献２に記載された発明に係る封緘具は、多数の凹凸状の係合部を設けた紐状部と、これの一端に前記係合部に係合する機構を持ち、更に比較的大きな名刺大程度の板状の表示部を形成したものである。
【００１１】
この表示部付きの封緘具は、プラスラックで形成されているので、当然のことながら印刷性は極めて悪く、印刷性の改善には表面の後加工が必要である上に、特別な印刷手段や刻印手段を必要とするなどの問題がある。
【００１２】
例えば、郵袋などの袋の口を強く閉止する封緘具の場合は、次の条件が満足されるものでなければならないが、本発明はこれらの条件を満足できる封緘具を提供することを目的とするものである。
【００１３】
１）封緘具で形成される輪の大きさを簡単な操作で自由に変更でき、確実に緊縛できるものでことが必要である。
２）その上、各種の管理表として使用できるためには、印字スタンプを使用したり、通常の印刷装置で印刷したり、更に、好ましくはボールペンなどで文字や記号を記載できることが必要である。
３）更に、使用する材料が安価で入手し易く、その製造に際してプラスチック成形工程で、あるいは実質的にプラスチック成形工程のみで製造できることによって安価に提供できるものでなければならない。
【００１４】
【課題を解決するための手段】
前記目的を達成するための本発明に係る結束型封緘具とその製造方法は次の通りである。
【００１５】
１）印刷性に優れたシート状物からなる表示部２と、前記表示部２の縁部に対して溶融連結部５ａを介して接続されたプラスチック製の紐状の結束部３で構成され、前記結束部は前記溶融連結部５ａの近傍に係合メス部５を配置し、この係合メス部５より延長された部分に前記係合メス部５に噛合する係合部７を配置したことを特徴としいてる。
２）印刷性に優れたシート状物からなる表示部２と、プラスチック製の紐状の結束部３で構成され、前記結束部３は、溶融連結部５ａと係合メス部５と係合部７と挿入部８とからなり、前記表示部２と溶融連結部５ａとの間は、成形金型内に表示部２が配置された状態で、溶融プラスチックを金型内に注入するインサート形成により一体的に結合されており、前記係合メス部５は、筒状部５ｂと、この筒状部５ｂの底部に形成された爪部５ｃを有し、前記係合部７は拡大部７ｂと縮小部７ａを交互に配置して数珠状に形成されており、前記挿入部８を通じて係合部７を係合メス部５に挿通させると、前記爪部５ｃと前記係合部７とが引抜き不能に係合されるように構成されていることを特徴としている。
３）前記表示部２は印刷性のある布状物であることを特徴としている。
４）前記表示部２は、少なくとも布状物のテープ体２Ａと溶融連結部５ａとが連結される部分は、溶融プラスチックと強く固着できるように形成されていることを特徴としている。
５）前記布状体のテープ体２Ａは、切断面がほずれない状態で切断する手段によって切断されていることを特徴としている。
６）金型内に、印刷性のある表示部を形成するテープ体２Ａを配置する工程と、このテープ体２Ａに交差し、係合メス部５と係合部７と挿入部８とからなる紐状の結束部３を複数本平行して成形する工程と、前記結束部３を成形後、前記テープ体２Ａを所定の幅に切断する工程とからなり、前記テープ体２Ａと溶融結束部５ａとは、前記テープ体２Ａが金型内に配置された状態で前記結束部３のキャビティに溶融プラスチックを供給され、前記テープ体２Ａの縁部の両面を挟持するようにインサート形成により一体的に結合されており、前記テープ状体２Ａと溶融結束部５ａとが一体成形された後に、前記テープ状体２Ａを所定の幅に切断して表示部２に個々に分離されることを特徴している。
【００１６】
【発明の実施の形態】
次に、図面を参照して本発明に係る封緘具について説明するが、図１は封緘具１の正面図、図２は同平面図、図３は図２におけるＡ−Ａ線断面図であり、更に図４は個々の封緘具に分離しない状態の封緘具の集合体の平面図である。
【００１７】
この封緘具１は、表示部２と紐状の結束部３で構成され、この表示部２は織物などの布テープなどで構成され、また、紐状の結束部３はプラスチック成形されている。
【００１８】
そして表示部２は、例えば天然繊維や合成繊維、あるいは混紡糸などを使用した布状物からなるテープ状体で構成されいる。そして好ましくはその表面に印刷インクの滲みを防止するための樹脂のコーティングが施して印刷性と印刷の耐久性を向上させている。
【００１９】
紐状の結束部３は、プラスチック成形品で、溶融連結部５ａと係合メス部５と中間部６と、更に数珠状に形成された係合部７（係合オス部）と紐状の挿入部８を有している。この係合メス部５に隣接して、成形工程において表示部２を表裏面より挟持するように一体成形によって形成される溶融連結部５ａが、表示部２にインサート成形工程によって固着されている。
【００２０】
この係合メス部５の他方には中間部６が延長されており、この中間部６は、封緘具１をリング状にして結束する際に屈曲し易いように幅の狭いバンド状に成形されている。
【００２１】
そして中間部６に係合部７が延長して形成されており、この係合部７はフィラメント状の縮小部７ａと円錐状の拡大部７ｂを交互に数珠状に形成されて係合オス部を構成している。更に、この係合部７に延長して指先で摘まみ易いように微細な凹凸を持つ紐状の挿入部８が形成されている。
【００２２】
前記溶融連結部５ａに隣接する係合メス部５は、この実施の形態においては、筒状体５ｂ（この実施例においては円筒状であるが、四角形などの他の断面形状であっても良い）の底部に、平面的に三角形の３個の係合爪５ｃが、前記係合部７の縮小部７ａを、三方より把持し易いようにチャック状に形成されている。
【００２３】
そして筒状体５ｂの下部の挿入部５ｄより、係合部７を矢印のように貫通させて係合爪５ｃと係合部７の拡大部７ｂをラチエット式に歯合させながら、所定の張力で引張ることによって緊縛された封緘状態を形成する。
【００２４】
係合メス部５に隣接して形成されている溶融連結部５ａは、図３に示すようにプラスラックの成形工程において上肉部ａと下肉部ｂで表示部２の縁部を表裏面より挟持するように成形されている。
【００２５】
そして係合メス部５は、長い筒状体５ｂの底部に、図２及び図３に示すように３個の係合爪５ｃを片持梁状に形成しており、従って、漏斗状に拡開されている挿入部５ｄより係合部７を挿入して貫通させると、複数個の円錐状の拡大部７ｂが筒状部５ｂの穴５ｅ内に嵌入されて保護される。
【００２６】
この状態になると、拡大部７ｂがこの穴５ｅを完全に閉止するので、係合爪５ｃと拡大部５ｃとの歯合状態を、筒状体５ｂの外部より観察できないことは勿論であり、例え、針のような小さなものでも歯合部分に挿入することができず、従って、係合メス部５と係合部７とが一旦、係合状態になると、結束部３が形成するリングを縮小することができても、拡大することは全くできず、確実な封緘状態となる。
【００２７】
本発明においては、表示部２と結束部３との連結は「インサート成形」を採用することによって組立て工程を省略している。
【００２８】
即ち、成形工程において図示しない金型内に形成された凹部内に図４に示すようにテープ体２Ａを配置する。そして、この凹部に隣接し、且つ、この凹部に直交して結束部３のキャビティが形成されている。
【００２９】
このテープ体２Ａは、金型の一方より他方に移動可能になっており、所定の長さのものが金型内に供給されると、溶融プラスチックを供給して結束部３を一斉に成形し、多数の本の紐状の結束部３を前記テープ体２Ａに接続した状態で取出すことになる。
【００３０】
前記凹部の縁部と結束部３の溶融連結部５ａのキャビティとが重なって形成されており、従って、図３に示すようにテープ体２Ａの縁部に対して溶融プラステックは表裏面に流れて上肉部ａと下肉部ｂを形成し、図４に示すように溶融連結部５ａを介して１枚のテープ体２Ａに対して、多数の紐状の結束部３が直交状態で平行して一体的にインサート成形されることにでる。
【００３１】
図４のように１枚のテープ体２Ａに対して多数本の結束部３が成形されたならば、適当な形状の切断線ｃより切断分離して個々の封緘具１を製造する。
【００３２】
なお、テープ体２Ａは溶融連結部５ａを強固に固定する必要があるので、例えばこのテープ体２Ａの縁部を太くしたり、粗目の織物部分を形成するなどの方法により接着性を改善しておくことにより、結束部３の係合力以上の接着力を発揮させることができる。
【００３３】
また、テープ体２Ａは布のテープが使用されるが、その腰が弱い場合には、適当な表面処理をしたり、人工紙を使用したり、場合によってはプラスラックフィルムと紙の積層体などを使用することができる。
【００３４】
本発明に係る封緘具１においては、結束部３自体のプラスチック部分に印字や印刷を施す必要がなく、布製の表示部に印刷や記載すれば良い。従って、この結束部３の構造は、前記実施例で説明したものに限定されるものではなく、他の構造や形状の紐状の結束部を使用できる。
【００３５】
【発明の効果】
本発明に係る封緘具は、印刷性に優れたシート状物を使用した表示部の一縁に紐状のプラスチック製の結束部を接着させた状態で構成されている。しかも、この表示部を金型内に印刷性に優れたシート状物のテープを送り込み、これに結束部を溶融連結部を介して連結して結束部を構成している。
【００３６】
従って、表示部には、結束部のプラスチックが使用されておらず、布テープなどの印刷性に優れたものを使用することができるので、印刷やボールペン等の記入によって各種の情報を記録することができるので、各種の用途に使用できる封緘具を提供することができる。
【図面の簡単な説明】
【図１】封緘具の側面図である。
【図２】同封緘具の正面図である。
【図３】表示部に固定された溶融連結部と係合メス部の断面図である。
【図４】インサート成形によって成形されたテープ体と多数の結束部を示す図である。
【符号の簡単な説明】
１  封緘具      ２  表示部      ２Ａ  テープ体      ３  結束部
５  係合メス部      ５ａ  溶融連結部      ５ｂ  筒状体
５ｃ  係合爪      ５ｄ  挿入部      ５ｅ  穴
【図１】
2004231260.tif 000003
【図２】
2004231260.tif 000004
【図３】
2004231260.tif 000005
【図４】
2004231260.tif 000006